(57)【要約】【課題】音の響きがよく、余韻の長い卓上ベルの提供を目的とする。【解決手段】揺動自在に支持されたベル本体と、前記ベル本体を打つ打撃手段とを備え、前記打撃手段は打撃子と、前記打撃子を操作する操作部と、前記打撃子をベル本体の打撃後に速やかに前記ベル本体から離間させる離間手段とを有することを特徴とする。【選択図】  図１
2019128546.tif 000002
【特許請求の範囲】
【請求項１】
揺動自在に支持されたベル本体と、前記ベル本体を打つ打撃手段とを備え、
前記打撃手段は打撃子と、前記打撃子を操作する操作部と、前記打撃子をベル本体の打撃後に速やかに前記ベル本体から離間させる離間手段とを有することを特徴とする卓上ベル。
【請求項２】
前記揺動自在に支持されたベル本体は、支持部材にベル本体を載置支持させたものであることを特徴とする請求項１記載の卓上ベル。
【請求項３】
前記揺動自在に支持されたベル本体は、支持部材にベル本体を支点部に点支持させたものであることを特徴とする請求項１記載の卓上ベル。
【請求項４】
前記ベル本体は、下部が開口した円錐形状又は逆さお椀形状であって、内側頂部を前記支持部材に載置支持又は点支持させたものであることを特徴とする請求項２又は３記載の卓上ベル。
【請求項５】
前記打撃手段の打撃子は、前記ベル本体の内側に配置してあることを特徴とする請求項４記載の卓上ベル。
【請求項６】
前記打撃子の離間手段は、前記打撃子の打撃方向に対して反力が生じるものであることを特徴とする請求項１〜５のいずれかに記載の卓上ベル。
【発明の詳細な説明】
【技術分野】
【０００１】
本発明は、打撃子の打撃により音が鳴る卓上ベルに関する。
【背景技術】
【０００２】
従来の一般的なベルは、ハンドル等に連結したベル本体と、このベル本体の内側に吊り下げた打撃玉からなるものである。
特許文献１には、シュモクの打ち玉によって打たれるリンを固定した電磁ベルを開示する。
しかし、同公報に開示するリンは取付部により固定されたものであり、振動が制限されることから音の響きが短い。
【先行技術文献】
【特許文献】
【０００３】
【特許文献１】実開昭６３−１７０９００号公報
【発明の概要】
【発明が解決しようとする課題】
【０００４】
本発明は、音の響きがよく、余韻の長い卓上ベルの提供を目的とする。
【課題を解決するための手段】
【０００５】
本発明に係る卓上ベルは、揺動自在に支持されたベル本体と、前記ベル本体を打つ打撃手段とを備え、前記打撃手段は打撃子と、前記打撃子を操作する操作部と、前記打撃子をベル本体の打撃後に速やかに前記ベル本体から離間させる離間手段とを有することを特徴とする。
【０００６】
ここでベル本体を揺動自在を支持するとは、打撃子にてベル本体を打つと、このベル本体が揺れるように支持されていることをいう。
例えば、前記揺動自在に支持されたベル本体は、支持部材にベル本体を載置支持させたものである態様や、前記揺動自在に支持されたベル本体は、支持部材にベル本体を支点部に点支持させたものである態様が例として挙げられる。
このようにベル本体を支持部材に載置支持した場合にはベル本体の着脱、取り替えが容易であり、点支持させるとベル本体を回転させることもできる。
ここでベル本体を点支持させる態様には、例えばベル本体に逆凸部の形状部を形成し、やじろべえのように点支持させるものも含まれる。
【０００７】
本発明において、打撃手段に設けた打撃子の離間手段とは、打撃子がベル本体を打撃することで、このベル本体部が揺動することになるが、揺動する動きに干渉しないように打撃子が打撃後に速やかに離れるように反力が生じるようにしたことをいう。
ここの目的が達成できれば離間手段に制限はないが、例えば打撃操作する操作部にストッパーを設けることで操作部が操作した方向に動いた後に、てこの原理に基づいてストッパーの反発力にてはね返る構造、打撃子の重力で離れる方向に作用する構造、打撃子を弾性力、磁石等にて離間方向に引き戻すように作用させる構造等が例として挙げられる。
【０００８】
本発明において、前記ベル本体は、下部が開口した円錐形状又は逆さお椀形状であって、内側頂部を支持部材に支持させることで、打撃子を、前記ベル本体の内側に配置してあってもよい。
【発明の効果】
【０００９】
本発明に係る卓上ベルは、打撃子が打撃後に速やかに後退するので、音の響きが良く、その長さも長い音色を楽しむことができる。
ベル本体を例えば人形のようにモデファイすると、人形が前後方向にお辞儀したように見え、カウンターベルとして従来にない効果が得られる。
【図面の簡単な説明】
【００１０】
【図１】本発明に係る卓上ベルの実施例１を示す。
【図２】本発明に係る卓上ベルの実施例２を示す。
【図３】本発明に係る卓上ベルの実施例３を示す。
【発明を実施するための形態】
【００１１】
本発明に係る卓上ベルの構造例を以下、図に基づいて説明する。
図１は実施例１である。
ベース部１３からシャフト状の支持部材１２を立設してある。
支持部材１２は、シャフト部１２ａの先端部に球状の支点１２ｂを有し、この支点１２ｂにてベル本体１１の内側頂部１１ａを支えることでベル本体１１が揺動自在になっている。
ベル本体１１の形状に制限はないが、本実施例は下部が開口した器状の円錐形状になっている。
ベル本体１１は、逆さのお椀形状やその他の異形形状でもよい。
本実施例におけるベル本体１１の揺動構造は、ベル本体１１の内側頂部の球面凹部形状と支持部材１２の先端部の球状凸部との組み合せであるが、弾性材による連結であってもよい。
ここで、ベル本体１１の内側頂部１１ａを支持部材１２の先端部に載置支持してあると、ベル本体の取り外しが容易であり、球状凸部や突起状の支点部に点支持してあるとベル本体が自由に回転することもできる。
【００１２】
ベル本体の材質に特に制限はないが、金属製が好ましい。
例えば、真鍮（黄銅合金），錫，ステンレス等が例として挙げられる。
【００１３】
ベル本体１１の下端部とベース部１３の上面との間には、所定の空間部を設けて打撃手段１４を配置してある。
打撃手段１４は、ベル本体１１内側に配置した打撃子１４ａとベル本体の外側に位置する操作部１４ｃとを、その間に設けた支点部１４ｂにててこのように打撃子１４ａが上下方向に回動可能になっている。
打撃子１４は作用杆１４ｅから上方に立設したバネ材等の弾性部１４ｄの先端に連結することで打撃子１４ａがベル本体１１を打撃した際に生ずる衝撃を吸収する。
【００１４】
実施例１は、操作杆からなる操作部１４ｃの下側にストッパー１５を設けることで、操作部１４ｃを下方に指で押すと操作杆がストッパー１５に当たった際の反発力にて、打撃子１４ａが速やかに揺動するベル本体１１から離れる。
これにより、ベル本体の音がミュートされない。
ここで支点部１４ｂは、ベース部にスライド機構を設けることで打撃子１４ａとベル本体１１の内面部１１ｂとの間隔を調整でき、ストッパー１５の高さや位置を調整可能にしてもよい。
これにより打撃子１４ａの当たり具合やベル本体の揺れ具合に合せて位置調整が可能である。
【００１５】
図２に実施例２を示す。
実施例１とは打撃手段が異なる。
作用杆１４の先端側であって、下部側に錘１４ｆを取り付けた例になっている。
打撃子１４ａはてこの原理でベル本体１１の内側を打撃すると、その後にこの錘１４ｆの重力により、このベル本体１１から速やかに離れる離間手段として作用する。
本発明においては、この錘１４ｆの替わりに作用杆１４ｅの先端部とベース部１３の上面部１３ａとの一方に磁石、他方に強磁性材を設けることでその磁力を利用したり、作用杆１４ｅの先端部とベース部１３の上面部１３ａとの間にバネ等の引きバネを用いてもよい。
図３に実施例３を示す。
ベル本体１１の頂部に指でつまむことができるつまみ部１１ｃを設けた例である。
これにより、つまみ部１１ｃをつまむことで支持部材１２からの取り外し、取り替え等が容易になる。
【符号の説明】
【００１６】
１１      ベル本体
１２      支持部材
１３      ベース部
１４      打撃手段
１４ａ    打撃子
１４ｂ    支点部
１４ｃ    操作部
１４ｄ    弾性部
１５      ストッパー
【図１】
2019128546.tif 000003
【図２】
2019128546.tif 000004
【図３】
2019128546.tif 000005
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
揺動自在に支持されたベル本体と、前記ベル本体を打つ打撃手段とを備え、
前記打撃手段は打撃子と、前記打撃子を操作する操作部と、前記打撃子をベル本体の打撃後に速やかに前記ベル本体から離間させる離間手段とを有し、
前記揺動自在に支持されたベル本体は、支持部材にベル本体を載置支持又は点支持させたものであり、
前記ベル本体は、下部が開口した円錐形状又は逆さお椀形状であって、内側頂部を前記支持部材に載置支持又は点支持させたものであり、
前記打撃手段の打撃子は、前記ベル本体の内側に配置してあることを特徴とする卓上ベル。